(57)【要約】【課題】  本発明は、画像表示装置の制御方法及びこの方法を実行する画像表示装置に関する。更に具体的に言うと、本発明は、セルのマトリクスを有する表示装置、列駆動回路及びエネルギーを回復する共振回路を有する列増幅器に関する。【解決手段】  本発明は、列増幅器の制御が前記列駆動回路の複数のスイッチの切り替え動作の間にエネルギー損失を零まで減らすように前記方法を最適化する処理を行う。あくまで、本発明は、前記列駆動回路の複数のスイッチの切り替え動作が、前記列増幅器によって供給される電圧が零の時に常に起こるように、前記列駆動回路を介して前記共振回路に結合されるセルの列の容量に幾分か依存する前記共振回路の振れ期間の開始を位置付ける処理を行う。【選択図】  図８
2006018271.tif 000002
【特許請求の範囲】
【請求項１】
行及び列で配置され、書き込み電圧によって作動可能又は不可能となるセルのマトリクスと、
セルの前記行を順次選択するための行駆動回路と、
複数のスイッチを有し、前記選択された行に対して作動するセルの列に前記スイッチを介して書き込み信号を印加する列駆動回路と、
書き込み電圧から零電圧まで振れる第一の振れ相を有する前記書き込み信号を発生し、前記第一の振れ相が前記選択された行に対して作動しているセルの列の容量と共振する誘導素子を有する共振回路とを有し、
前記第一の振れ相の開始は、作動するセルの列の前記容量の関数として決められ、前記列駆動回路の前記複数のスイッチは、前記第一の振れ相の終了時に状態を変化するように制御される、画像表示装置での制御方法であって、
前記第一の振れ相の開始は、前記書き込み信号が前記選択された行で作動する同数のセルに対して零電圧から書き込み電圧まで振れる間に、第二の振れ相と呼ばれる、前の振れ相の期間から決められることを特徴とする、制御方法。  
【請求項２】
前記列駆動回路の複数のスイッチの状態変化は、クロック信号で同期化されることを特徴とする、請求項１記載の方法。
【請求項３】
前記列駆動回路の複数のスイッチの状態変化は、クロック信号のパルスに対して一定の遅延によって相殺されることを特徴とする、請求項２記載の方法。
【請求項４】
前記共振回路は前記第一の振れ相の間に振れをトリガーする少なくとも一つのスイッチを有し、前記共振回路の前記少なくとも一つのスイッチの状態変化はクロック信号のパルスに対して、前記選択された行で作動するセルを有する前記列の容量の関数である可変遅延によって相殺されることを特徴とする、請求項２又は３記載の方法。
【請求項５】
前記第二の振れ相の期間を測定し、
前記第二の振れ相の期間と前記一定の遅延の長さとの間の時間差に対応する可変遅延の長さを導き出すこと、によって計算されることを特徴とする、請求項３に従属する請求項４記載の方法。
【請求項６】
行及び列で配置され、書き込み電圧によって作動可能又は不可能となるセルのマトリクスと、
セルの前記行を順次選択するための行駆動回路と、
複数のスイッチを有し、前記選択された行に対して作動するセルの列に前記スイッチを介して書き込み信号を印加する列駆動回路と、
書き込み電圧から零電圧まで振れる第一の部分を有する書き込み信号を発生し、前記第一の振れ部分の間に前記選択された行に対して作動する前記セルの列の容量と共振する誘導素子と、前記振れをトリガーする少なくとも一つのスイッチと、を有する共振回路と、
前記列駆動回路の前記複数のスイッチ及び前記共振回路の少なくとも一つのスイッチを制御し、それらスイッチが前記第一の振れ部分の終了時に状態を変えるように、前記選択された行で作動するセルを有する前記列の容量によって前記共振回路の前記少なくとも一つのスイッチと、前記列駆動回路の前記複数のスイッチとを制御する制御回路と、を有する画像表示装置であって、
前記制御回路は、書き込み信号が前記選択された行で作動する同数のセルに対して零電圧から書き込み電圧まで振れる間に、第二の振れ相と呼ばれる、前の振れ相の期間から前記第一の振れ相の開始を決めることを特徴とする、画像表示装置。
【請求項７】
前記制御回路は、
クロック信号のパルスに対して一定の遅延を有する前記列駆動回路の複数のスイッチの切り替え動作をトリガーする第一の手段と、
前記クロック信号のパルスに対して前期選択された行で作動するセルを有する前記列の容量の関数である可変遅延を有する前記共振回路の少なくとも一つのスイッチの状態変化をトリガーする第二の手段と、を有することを特徴とする、請求項６記載の装置。
【請求項８】
前記第二の手段は、
前記第一の振れ相と同じ期間を有する前記第二の振れ相の期間を測定する手段と、
前記第二の振れ相の期間と前記一定の遅延の長さとの間の差に対応する前記可変遅延の長さを決める手段と、を有することを特徴とする、請求項７記載の装置。
【請求項９】
前記制御回路は、
容量性の素子と、
前記容量性の素子に電流を供給する定電流源と、
前記共振回路の前記誘導素子に流れる電流の方向を検出し、前記電流が“正”方向から“負”方向へ方向を変える時に前記列駆動回路の複数のスイッチの切り替え動作をトリガーし、前記容量性の素子がこの第一の動作期間の終了時に第一の充電値に達する一方で、前記誘導素子に流れる前記電流の方向が正である時に前記定電流源の動作をトリガーする第一の検出回路と、
前記容量性の素子の端子にかかる電圧が閾値に達するように、期間が前記可変遅延に等しい第二の動作期間の間に前記定電流源の動作をトリガーする回路と、
前記容量性の素子の端子にかかる前記電圧を検出し、前記容量性の素子の端子にかかる前記電圧が前記閾値に達した時に、前記共振回路の少なくとも一つのスイッチの状態変化を制御する第二の検出回路と、
を有することを特徴とする、請求項６乃至８のうちのいずれか一項記載の装置。
【発明の詳細な説明】
【技術分野】
【０００１】
本発明は、画像表示装置の制御方法及びこの方法を実施する画像表示装置に関する。
【背景技術】
【０００２】
更に具体的に述べると、本発明は、行及び列で配置され、書き込み電圧によって作動可能又は不可能となるセルのマトリクスと、セルの行を順次選択する行駆動回路と、複数のスイッチを有し、選択された行に対して作動するセルの行に前記複数のスイッチを介して書き込み信号を印加する列駆動回路と、前記書き込み信号を発生する共振回路と、を有する表示装置に適用され得る。前記書き込み信号は、書き込み電圧から零電圧まで振れる第一の振れ相を有する。前記共振回路は、前記第一の振れ相の間に選択された行に対して作動するセルの列の容量と共振するインダクタンス、及び前記振れをトリガーする少なくとも一つのスイッチを有する。
【０００３】
本発明は、特に、プラズマ表示装置に適用され得、このような装置の場合において記述される。
【０００４】
プラズマパネルのマトリクスのセルのうちアドレス可能なセルに関する振れの間、列駆動回路のスイッチは、表示されるべき映像データに依存するセルに書き込み電圧又は零電圧のどちらかを印加するように制御される。実際には、ここからVWと表わされる書き込み電圧は約60V程度であり、セルの全ての列が選択される時、制御されるセルの列の全キャパシタンスCは100nFに達する。
【０００５】
容量性のエネルギー回復装置を用いない場合、列駆動回路の複数のスイッチの切り替え動作の間の容量性の消費損失は、数十ワットに到達し得る。実際には、これらの損失は
Ccol・Vcol2・F
に等しい。ここで、
Ccolは、列駆動回路によって選択されるセルの列の容量であり、
Vcolは、前記列駆動回路の複数のスイッチが状態を変えようとする瞬間に選択される列に存在する電圧であり、
Fは、スイッチング周波数である。
【０００６】
この望ましくない消費と同様に、列駆動回路の複数のスイッチは、このエネルギーをなくすために厳密に規模を決められなければならない。
【０００７】
従って、列増幅器として一般に知られるエネルギー回復装置は、これらの損失を最小限にするように構成される。これら装置の背景の原理は、列のセルの容量が書き込み電圧VWから0、及びその逆の場合の列に印加された電圧を変化するインダクタンスで振れを引き起こすことである。参照符１０の典型的な列増幅器は、図１で表わされる。前記列増幅器は、列駆動回路Dを介して、駆動回路によって選択されたセルの列に結合され、選択された列はそれらの容量によって図中に表わされる。列増幅器は、二つのスイッチS1及びS2、誘導素子L、二つの電圧源G1及びG2、並びに三つのダイオードD1、D2、及びD3を有する。誘導素子Lは、スイッチS1が閉じられると、列駆動回路によって選択されたセルの列の容量と共に共振回路を形成する。列増幅器によって供給される信号Vcolは、図２で表わされるような形を有する。書き込み電圧VWは、電源G1及びG2によって供給される電圧V1及びV2の和に等しい。VWから0への振れは、スイッチS2が開かれることによってトリガーされる。この増幅器の動作は、後で更に詳細に記述することとする。
【０００８】
一般に、列駆動回路の複数のスイッチの切り替え動作瞬時、及びスイッチS2の開成瞬時は、所定のクロック信号Hで同期化される。例えば、スイッチS2は信号Hの各パルスの開始で開かれ、列駆動回路の複数のスイッチはこれらのパルスに対して一定の遅延Tcで動作させられる。この場合は、二つの異なる列容量値に対して列増幅器によって供給される信号Vcolを表わす図３で図解される。これより記述中で、用語“列容量”は、列駆動回路によって選択された列の容量のことであり、Ccolで表わされる。図３を参照して、実線で表わされる第一の曲線は、列駆動回路の二つの連続した切り替え動作瞬時t0とt1の間に、第一の容量値C1に対して列増幅器によって供給される信号Vcolを表わす。点線で表わされる第二の曲線は、C1より低い列容量値C2に対する同じ信号を表わす。スイッチS2は、切り替え動作瞬時t0とt1の間に位置する瞬時t0’で開かれる。この瞬時は、信号Hの立ち上がりに対応する。従って、VWから0への振れは、瞬時t0’で始まり、クロック信号Hのパルス開始で同期化する。切り替え動作瞬時t1は、t0’＋Tcと等しくなるように選択される。従って、列駆動回路Dの複数のスイッチは常に、VWから0への振れの開始に対して遅延Tcで動作させられる。遅延Tcは不変であるから、切り替えられた列の容量とは無関係である。従って、列駆動回路Dの複数のスイッチの切り替え動作は大抵、電圧Vcolが零ではない時に起こる。切り替え動作時の切り替え損失は、以下の式
【０００９】
【数１】
2006018271.tif 000003
に等しい。これは、列容量がC2（点線曲線）に等しい時、図３での状況である。実際に、損失は、例えば図３で値C1（図３で実線曲線）である一つの特定の列容量値に対してのみ零である。この特定の値は、一般的に、パネルの全ての列の容量を表わすキャパシタンスCtotに対応する。この場合、遅延Tcの長さは、結果として、共振回路の振れの半周期に等しい。即ち、以下の式
【００１０】
【数２】
2006018271.tif 000004
が成り立つ。図３では、
【００１１】
【数３】
2006018271.tif 000005
である。ここで、Lは誘導素子Lのインダクタンスを表わす。
【発明の開示】
【発明が解決しようとする課題】
【００１２】
本発明によれば、その目的は、切り替えられた列の容量に無関係に、回路での切り替え動作損失を零まで減らすことである。
【課題を解決するための手段】
【００１３】
あくまで、列駆動回路の複数のスイッチが第一の振れ相で動作させられるように、作動するセルの列の容量によってVWから0への振れ期間の開始を制御されることが提供される。
【００１４】
更に、本発明は、
行及び列で配置され、書き込み電圧によって作動可能又は不可能となるセルのマトリクスと、
セルの前記行を順次選択するための行駆動回路と、
複数のスイッチを有し、前記選択された行に対して作動するセルの列に前記スイッチを介して書き込み信号を印加する列駆動回路と、
書き込み電圧から零電圧まで振れる第一の振れ相を有する前記書き込み信号を発生し、前記第一の振れ相が前記選択された行に対して作動している間にセルの列の容量と共振する誘導素子を有する共振回路とを有し、
前記第一の振れ相の開始は、作動するセルの列の前記容量の関数として決められ、前記列駆動回路の複数のスイッチは、前記第一の振れ相の終了時に状態を変化するように制御される、画像表示装置での制御方法であって、
前記第一の振れ相の開始は、書き込み信号が前記選択された行で作動する同数のセルに対して零電圧から書き込み電圧まで振れる間に、第二の振れ相と呼ばれる、前の振れ相の期間から決められることを特徴とする、画像表示装置制御方法に関する。
【００１５】
列駆動回路の複数のスイッチは、列増幅器によって供給される電圧が零の時に、このように動作させられる。従って、切り替え動作損失（Ccol・Vvol2・F）は零である。
【００１６】
特定の実施例によれば、列駆動回路の複数のスイッチの状態変化は、クロック信号のパルスに対して一定の遅延によって相殺され、共振回路のスイッチの状態はクロック信号のパルスに対して可変遅延によって相殺される。この可変遅延は、選択された行で作動するセルを有する列の容量の関数である。
【００１７】
この可変遅延は、
第二の振れ相の期間を測定することと、
第二の振れ相の期間と前記一定の遅延の長さとの間の時間差に等しい可変遅延の長さを導くことによって、計算されても良い。
【００１８】
本発明はまた、
行及び列で配置され、書き込み電圧によって作動可能又は不可能となるセルのマトリクスと、
セルの前記行を順次選択するための行駆動回路と、
複数のスイッチを有し、前記選択された行に対して作動するセルの列に前記スイッチを介して書き込み信号を印加する列駆動回路と、
書き込み電圧から零電圧まで振れる第一の部分を有する書き込み信号を発生し、前記第一の振れ部分の間に前記選択された行に対して作動する前記セルの列の容量と共振する誘導素子と、前記振れをトリガーする少なくとも一つのスイッチと、を有する共振回路と、
前記列駆動回路の前記複数のスイッチ及び前記共振回路の少なくとも一つのスイッチを制御し、それらスイッチが前記第一の振れ部分の終了時に状態を変えるように、前記選択された行で作動するセルを有する前記列の容量によって前記共振回路の少なくとも一つのスイッチと、前記列駆動回路の複数のスイッチとを制御する制御回路と、を有する画像表示装置であって、
前記制御回路は、書き込み信号が前記選択された行で作動する同数のセルに対して零電圧から書き込み電圧まで振れる間に、第二の振れ相と呼ばれる前の振れ相の期間から前記第一の振れ相の開始を決めることを特徴とする、画像表示装置に関する。
【００１９】
前記制御回路は、例えば、
クロック信号のパルスに対して一定の遅延を有する前記列駆動回路の前記複数のスイッチの切り替え動作をトリガーする第一の手段と、
前記クロック信号のパルスに対して前期選択された行で作動するセルを有する前記列の容量の関数である可変遅延を有する前記共振回路の前記少なくとも一つのスイッチの状態変化をトリガーする第二の手段と、を有する。
【００２０】
前記第二の手段は、
前記第一の振れ相と同じ期間を有する前記第二の振れ相の期間を測定する手段と、
前記第二の振れ相の期間と前記一定の遅延の長さとの間の差に対応する前記可変遅延の長さを決める手段と、を有する。
【００２１】
特定の実施例によれば、制御回路は、
容量性の素子と、
前記容量性の素子に電流を供給する定電流源と、
前記共振回路の前記誘導素子に流れる電流の方向を検出し、前記電流が“正”方向から“負”方向へ方向を変える時に前記列駆動回路の前記複数のスイッチの切り替え動作をトリガーし、前記容量性の素子がこの第一の動作期間の終了時に第一の充電値に達する一方で、前記誘導素子に流れる前記電流の方向が正である時に前記定電流源の動作をトリガーする第一の検出回路と、
前記容量性の素子の端子にかかる電圧が閾値に達するように、期間が前記可変遅延に等しい第二の動作期間の間に前記定電流源の動作をトリガーする回路と、
前記容量性の素子の端子にかかる前記電圧を検出し、前記容量性の素子の端子にかかる前記電圧が前記閾値に達した時に、前記共振回路の少なくとも一つのスイッチの状態変化を制御する第二の検出回路と、を有する。
【発明を実施するための最良の形態】
【００２２】
本発明は、添付の図を参照して、実施例に関する以下の記述を読むことで更に理解される。しかし、本発明はこれに限定されない。
【００２３】
本発明は、セルに基づく表示マトリクス、即ちマトリクスのセルの行、を順次選択する行駆動回路と、書き込み信号を選択された行に対して作動するセルの列に印加する列駆動回路と、選択された行に対して作動するセルの列を有する共振回路を形成する列増幅器と、を有する如何なる形式の表示装置にも適用され得る。
【００２４】
本発明は、図１及び図２で示されるように、二つのスイッチを有する列増幅器に関して記述される。勿論、本発明は、他の形式の行増幅器、特に米国特許US4,866,349で開示されるウェバーの行増幅器に適用され得る。
【００２５】
本発明は、列駆動回路のスイッチの切り替え動作が、電圧Vcolが零の時に常に起こるように、列増幅器での振れの開始を制御することを特徴とする。本発明の制御方法を詳細に記述する前に、図１の列増幅器の動作を詳細に記述することが適切である。参照符１０を付与されたこの増幅器は、列駆動回路Dを介して、表示パネルで作動するセルの列に結合される。
【００２６】
増幅器１０は、磁気エネルギーを蓄え、パネルで作動するセルの列の容量においてそのエネルギーを放電する誘導素子Lを有する。誘導素子Lは、第一の端子B1を介して、列駆動回路Dに結合される。誘導素子Lの第二の端子B2は、スイッチS1を介して、直流電圧V2を供給する能力を有する電圧源G2の正極に結合される。電源G2の負極は接地に結合される。更に、ダイオードD2は、カソードが誘導素子の端子B1に結合されるように、誘導素子の端子B1と接地との間に挿入される。直流電圧V1を供給する能力を有する電圧源G1は、スイッチS２を介して誘導素子の端子に同様に結合される。電源G1の負極は、誘導素子の端子B2に結合され、正極はスイッチS2に結合される。ダイオードD1は、カソードが電圧源G1の正極に結合されるように、スイッチS2と並列に置かれる。一般的に、このダイオードは、スイッチS2として用いられるMOSトランジスタのダイオードに対応する。
【００２７】
同様に、ダイオードD3は、カソードが電圧源G2の正極に結合されるように、スイッチS1と並列に置かれる。このダイオードは、スイッチS1として用いられるMOSトランジスタのダイオードに対応する。
【００２８】
電圧V1及びV2はV1＋V2＝VWとなるように決められる。
【００２９】
増幅器の接点B1に存在し、図２において図解される電圧信号Vcolは、連続する動作相を経て到達される。これらの様々な相は図４で示される。
【００３０】
第一の相P1の間、スイッチS1及びS2は閉じられた状態にある。電流ILは、電圧源G1、誘導素子L並びにスイッチS1及びS2によって形成される回路を流れる。電流ILは、この相の間は正である。電圧V1＋V2＝VWは、駆動回路Dによって選択される表示パネル列の端子に印加される。
【００３１】
次の相P2の間、スイッチS1は閉じられた状態のままで、スイッチS2は開かれる。誘導素子Lに蓄えられた幾らかのエネルギーは、列の端子にかかる電圧が零になるまで、列駆動回路によって選択された列で放電される。更に詳細を述べるならば、この相の開始において、誘導素子Lは、この時点で、もはや電圧源G1からではなく、パネルの列の容量からエネルギーを受け取り続ける。従って、電流は僅かながら増大し続け、それから減少する。VWから０Vへの振れはこの相で起こる。
【００３２】
次の相P3の間、零電圧は、誘導素子Lを流れる電流ILが零になるまで、パネルの列の端子に印加されたままである。この相の間、スイッチS1及びS2の状態は変わらない。誘導素子Lで蓄えられた電流の残りは、ダイオードD2を介して電圧源G2によって消耗される。この相の期間は、増幅器の効率を改善するために、可能な限り最小限まで減らされる。下記の図５、７及び８において、この相は、事実上長さ零の期間を有するとみなさる。
【００３３】
次の相P4の間、パネルで作動するセルの列に蓄えられた容量性のエネルギーは、誘導素子Lに戻される。その時、電流ILは方向を変える。パネルの列の端子にかかる電圧は、振幅VW＝V1＋V2が到達されるまで再び発生する。この相の間、スイッチS1及びS2の状態は、前の相から変わらないままである。相P2及びP4はおおよそ同等の期間である。
【００３４】
作動するセルの列の端子にかかる電圧が振幅V1＋V2に到達すると、書き込み電流は前記セルにおいてそれらセルを作動させるために発生される。これは相P5の開始である。スイッチS1及びS2は、この相の間、同様に開かれるか、あるいは閉じられる。スイッチS1が開かれると、セルの書き込み電流は、セル、駆動回路D、誘導素子L、ダイオードD3及び電圧源G2によって形成される回路を流れる。さもなければ、電流はダイオードD3の代わりにスイッチS1を流れる。
【００３５】
相P5の終了時に、次の相を考慮して、スイッチS2は閉じられ、スイッチS1は開かれる。
【００３６】
次の相P6は不活動相である。電流は流れない。作動したセルを有するパネルの列の端子にかかる電圧は、V1＋V2で保たれる。この最終相の目的は、電気伝導損失がこの時零になるので、装置の効率を改善することである。
【００３７】
本発明の方法は、従来技術を表す図３と比較すると図５を参照して記述される。図３に示されるように、実線曲線は、連続した切り替え動作瞬間t0とt1の間に列容量値C1に対して列増幅器によって供給される信号Vcolを表す。点線曲線は、より低い容量値C2に対する同じ信号を表す。
【００３８】
列駆動回路の複数のスイッチの切り替え動作は、図３のようにクロック信号Hで同期化されている。それらスイッチは、クロック信号Hのパルスに対して遅延Tcで切り替えられる。しかし、共振回路での共振は、信号Hの幾つかのパルスに対して可変遅延Tｖで引き起こされる。この可変遅延は、電圧Vcolが、列駆動回路のスイッチが動かされる瞬間に零になるように、決められる。図５において、この可変遅延は、実線曲線でTv1及び点線曲線でTv2と表わされる。
【００３９】
適用する可変遅延の値は、切り替えられた列の容量性の充電の関数である。実際は、この可変遅延は、共振回路がVWから0まで変化させる時間TdをTcから引き算することによって得られる。ここで、この時間Tdは、共振回路が同じ容量性の充電に対して0からVWまで変化させる時間Tmに等しいので、予め決められ得る。時間Tmは、前の切り替え動作の直後に測定され得る。実線曲線（列の容量はC1に等しい）の場合、VWから0まで変化する時間Td1は、時間Tm1を測定することによって決定され得る。時間Td2は、時間Tm2を測定することによって決定され得る。
【００４０】
当該方法を実施する装置２０は、図６を参照して提案される。この装置は、列増幅器１０と列駆動回路Dとの間に置かれる。
【００４１】
この装置は、増幅器１０の誘導素子Lを流れる電流ILの方向を検出するための回路２１を有する。この回路は、誘導素子Lからセルの列まで流れている電流IL（図４中の正の電流）が正である時に零ではない（1に等しい）出力信号SILと、電流ILが負の方向で流れる時に零である出力信号とを供給する。この出力信号は、複数のスイッチの切り替え動作をトリガーするために、列駆動回路Dによって使用される。信号SILは、容量性の素子Crに供給する定電流源を制御するためにも使用される。
【００４２】
定電流源は、三つの抵抗素子R1、R2、R3、トランジスタT並びに二つのスイッチS3及びS4から構成される。前記抵抗素子は、電源電圧を受ける電源端子VCCと、スイッチS3及びS4を介する間に直列に置かれる。更に具体的に述べると、スイッチS3及びS4は抵抗器R1に結合されていない抵抗器R2の端子と接地の間に直列に置かれる。スイッチS3は信号SILによって制御され、スイッチS4は信号H’によって制御される。更に、抵抗素子R1とR２の間の中点は、バイポーラ・トランジスタTのベースに結合される。抵抗素子R3は電源端子VCCとトランジスタTのエミッタとの間に結合される。最後に、トランジスタTのコレクタは容量性の素子Crの端子に結合される。容量性の素子Crのもう一方の端子は接地に結合される。スイッチS3及びS4のどちらかが閉じられる時、この電流源は容量性の素子Crに電流を供給する。定電流源によって供給される電流Icrの強さは、抵抗素子R1、R2、R3及び電源電圧の値によって決定される。
【００４３】
サイリスタTh、ツェナーダイオードDz及び抵抗素子R4から構成される装置は、容量性の素子Crの端子にかかる電圧が電圧Vtrigに到達する時間毎の短い電圧パルスを供給することを担う。電圧VtrigはダイオードDzの閾値電圧である。Vdで表され、この回路によって供給される電圧信号は、列増幅器のスイッチS2の開成を制御するために使用される。サイリスタThのアノード及びツェナーダイオードDzのカソードはトランジスタTのコレクタに結合され、サイリスタのカソードは抵抗素子R4を介して接地に結合される。最後に、ダイオードDzのカソードはサイリスタのゲートに結合され、信号Vdはサイリスタのカソードによって供給される信号に対応する。
【００４４】
最終的に、クロック回路２２は、クロック信号Hを供給することを担う。この信号は、信号Vdも受けるSR（セット・リセット）フリップ・フロップ２３に供給される。フリップ・フロップはクロック信号Hの先端で1に切り替わり、信号Vdのパルスで0に落ちる。フリップ・フロップ２３の出力はスイッチS4の制御信号H’である。
【００４５】
図７のタイミング図を参照すると、制御回路２０は下記のように動作する。瞬時0で、クロック信号H及びH’は1にある。従って、スイッチS4は閉じられ、容量性の素子CrはトランジスタTによって供給される電流によって充電する。容量性の素子Crの端子にかかる電圧Vcrが値Vtrigに到達する時、サイリスタThはトリガーされる。短い電圧パルスが制御信号Vdで現れる。このパルスは、列増幅器のスイッチS2の開成をトリガーする。その時、列増幅器の誘導素子Lは、駆動回路Dによって選択された列の容量に共振し始める。その時、負の電流IL（列から誘導要素Lまで流れる）は誘導要素Lを通って流れる。信号Vdのパルスはまた、スイッチS4を開く信号H’での立ち下がりをトリガーする。容量性の素子Crは、サイリスタThを介して、接地まで放電される。容量性の素子Crが完全に放電される時に、サイリスタThは停止される。
【００４６】
電流ILが零になるとき、回路２１は電流ILの方向の変化を検出し、信号SILは、スイッチS3の閉成及び列駆動回路Dのスイッチの切り替え動作をトリガーするように1に変わる。容量性の素子Crは、トランジスタTによって供給される電流で充電し始める。電圧Vcolを0からVWまでの変化させる振れも始まる。電圧Vcolが電圧VWに到達する時、電流ILは零になり、その時回路２１は電流の方向の変化を検出する。即ち、信号SILは零になる。スイッチS3は開き、容量性の素子Crの充電は中断される。従って、容量性の素子Crの充電は、電圧Vcolを存在する列の容量で0からVWまで変化する時間Tmの代表値である。容量性の素子Crの充電は、クロック信号Hの次の立ち上がりまでこの値で保たれる。その時、素子Crは、Vtrigに到達するまで充電を再開する。素子Crの充電電圧がVtrigに到達する時、スイッチS4は開き、周期が上述のように繰り返す。
【００４７】
この装置を用いて、可変時間Tvは、容量性の素子Crの端子にかかる電圧が、信号Vcolの0からVWへの振れの間に前もって充電されていた後で、Vtrigに到達するように要求される付加時間として決められる。前記値Vtrigは下記のように決められる。
【００４８】
Vcr＝K.t  ⇒  Vtrig＝K.(Tv＋Td)＝K.(Tv＋Tm)
Tc＝Tv＋Tdが与えられると、
⇒Vtrig＝K.Tc
装置２０が正確に動作するために、以下の式
【００４９】
【数４】
2006018271.tif 000006
が成り立つことが確実にされなければならない。ここで、Ctotは、駆動回路Dによって選択され得るセルの全ての列の容量を表す。
【００５０】
遅延Tcは、駆動回路Dによって選択される列の容量に依存せず、Vtig、容量素子Cr及び電流Icrに依存する。二つの変数Cr及びIcrはKを決める。これらの変数は不変であるが、それらの許容誤差によって幾らかのドリフトを示しても良い。従って、クロック信号において共振回路の振れ相を制御する付加的な装置を供給することが有用であり得る。この制御（図６の図には表示せず）は、クロック信号の位相で列電圧の位相を比較することによって、実行される。この位相差は充電電流Icrを加減する。更には、以下の式、
【００５１】
【数５】
2006018271.tif 000007
が成り立つので、列電圧の位相はクロック信号によって制御される。
【００５２】
図８は、二つの異なる列の容量値に関して、図６の装置の動作を簡単に表した図である。駆動回路Dによって選択された列の容量は、切り替え動作瞬時t0とt1の間でC1と、切り替え動作瞬時t1とt2の間でC2と等しくされる。図８は、切り替え動作瞬時t0とt2の間の、信号Vcol、Vcr及びHの波形を示す。時間Tm1及びTd1は、C1はC2よりも高い容量であるから、Tm2及びTd2より長い。逆に、時間Tv2は、Tc＝Td1＋Tv1＝Td2＋Tv2が成り立つので、時間Tv1より長い。電圧Vcolの立ち上がり時間の間、定電流源は、電流を供給することによって容量性の素子Crを充電する。充電は、信号Hの立ち上がり後、電圧Vcrが電圧Vtigに到達するまで継続する。それから、スイッチS2は開かれ、電圧VcolはVWから0まで変化する。
【００５３】
列増幅器のスイッチS2のこの動的な制御は、表示パネルの効率での有意な改善をもたらす。勿論、本発明の制御方法は、他の列増幅器の構造に適用され得る。当該制御方法は、一つの列制御増幅器を有するプラズマ表示パネルにおいて、非常に容易に実施され得る。
【図面の簡単な説明】
【００５４】
【図１】列駆動回路を介して表示パネルのセルの列に結合される2段切り替え列増幅器を表す図である。
【図２】図１の列増幅器によって発生される電圧信号を示す図である。
【図３】切り替えられるセルの列の容量が変化する時に、列増幅器によって発生される電圧信号の形を示す図である。
【図４】図２の信号を発生する列増幅器の様々な動作相及び前記相の間に列増幅器の誘導素子を流れる電流を示す図である。
【図５】図３との比較により、本発明の原理を説明する図である。
【図６】本発明の制御方法を実行する装置を表す図である。
【図７】装置の動作の間に、図６の装置の様々な構成要素の状態を図解しているタイミング図である。
【図８】二つの連続した列の容量値に関して、図６の装置の動作を図解しているタイミング図である。
【符号の説明】
【００５５】
１０  列増幅器
２０  装置
２１  電流方向検出回路
２２  クロック回路
２３  フリップ・フロップ
D  列駆動回路
S1、S2、S3、S4  スイッチ
L  誘導素子
G1、G2  電圧源
D1、D2、D3  ダイオード
B1、B2、B3  端子
Vcol  書き込み信号
V1、V2  電源電圧
VW  書き込み電圧
IL  電流
t  時間
H  クロック信号
Tc  一定の遅延時間
t0、t1、t2  スイッチの切り替え動作瞬時
t0’  クロック信号の立ち上がり瞬時
P1、P2、P3、P4、P5、P6  振れの各相
Tv1、Tv2  可変遅延時間
Tm1、Tm2  Vcolが0からVWまで変化する時間
Td1、Td2    VcolがVWから0まで変化する時間
SIL  検出回路２１の出力信号
Cr  容量性の素子
R1、R2、R3、R4  抵抗素子
T  トランジスタ
VCC  電源端子
H’  S4の制御信号
Th  サイリスタ
DZ  ツェナーダイオード
Icr  容量性の素子Crを流れる電流
Vcr  容量性の素子Crの充電電圧
Vtrig  ダイオードDzの閾値電圧
Vd  回路２０から供給される電圧信号
C1、C2  列容量
【図１】
2006018271.tif 000008
【図２】
2006018271.tif 000009
【図３】
2006018271.tif 000010
【図４】
2006018271.tif 000011
【図５】
2006018271.tif 000012
【図６】
2006018271.tif 000013
【図７】
2006018271.tif 000014
【図８】
2006018271.tif 000015